(57)【要約】 【課題】受信アンテナをスペース効率よく収めることができ、かつ安定して固定できる電波修正時計を提供すること。【解決手段】受信アンテナ５０のフランジ部５８に設けられた係止爪５９を、地板１０に設けられた係止部７０に差込み、これと同時に、コイル枠５１の両端部の固定孔５７を地板１０に設けられた円筒状のピン７１に嵌めこむ。その後、ピン７１の内部にねじをしめ込んで受信アンテナ５０全体を地板１０に固定する。したがって、受信アンテナ５０は、地板１０に設けられた係止部７０二箇所と受信アンテナ５０の両端との離れた四点によって係止され、地板１０に安定して固定することができるので、比較的重量のある受信アンテナ５０の振動等によるばたつきを少なくできる。【選択図】図４
2006153648.tif 000002
【特許請求の範囲】
【請求項１】
地板と、
受信アンテナとを備え、
前記受信アンテナは、両端部で前記地板にねじ止めされるとともに、これらねじ止め部分の間において、前記地板に係止されている
ことを特徴とする電波修正時計。
【請求項２】
請求項１に記載の電波修正時計において、
前記受信アンテナは、アンテナコアと、当該アンテナコアが収容される合成樹脂製のコイル枠とを備え、
前記受信アンテナと前記地板との係止は、前記コイル枠に設けられた係止爪と、
前記地板に設けられて当該係止爪が係止される係止部とで行なわれる
ことを特徴とする電波修正時計。
【請求項３】
請求項２に記載の電波修正時計において、
前記地板は、平面形状略円形に形成され、
前記コイル枠は、導線の巻かれているコイル部と、前記コイル部の両側から連続して形成された湾曲部とで弓型に形成され、
前記係止爪は、前記コイル部の両端に形成されている
ことを特徴とする電波修正時計。
【請求項４】
請求項２または請求項３に記載の電波修正時計において、
前記アンテナコアには、前記湾曲部に収容された前記アンテナコア部分が前記地板側に折曲する段差部が形成されている
ことを特徴とする電波修正時計。
【発明の詳細な説明】
【技術分野】
【０００１】
本発明は、受信アンテナを備えた電波修正時計に関する。
【背景技術】
【０００２】
標準電波を受信して表示時刻を修正する電波修正時計は、受信アンテナを備えている。受信アンテナは、高透磁率の材料からなるアンテナコアに導線が巻かれている構造で、他の部品と比較して重量がある。そのため、受信アンテナが衝撃等によって容易に動いて破損しないように、受信アンテナのアンテナコアの両端がねじで地板に固定されている電波修正時計が知られている（例えば、特許文献１参照）。
【０００３】
【特許文献１】特開２００３−１２１５６９号公報（第４頁、図２）
【発明の開示】
【発明が解決しようとする課題】
【０００４】
特許文献１に示されているように、受信アンテナの形状が直線状で短い場合には、その両端を固定することで、受信アンテナを安定して固定できる。
しかしながら、受信アンテナの感度のさらなる向上が望まれており、感度を向上させるためには、アンテナコアの長さを長くする必要がある。ここで、長いアンテナコアをスペース効率よく時計内に収めるには、アンテナコアの形状を直線状以外の形状にしなければならない。このような場合、受信アンテナの両端を固定するだけでは、中央部分が浮いてしまってばたつくため、受信アンテナ全体を安定して固定できないという課題がある。
【０００５】
本発明の目的は、受信アンテナをスペース効率よく収めることができ、かつ安定して固定できる電波修正時計を提供することにある。
【課題を解決するための手段】
【０００６】
本発明の電波修正時計は、地板と、受信アンテナとを備え、前記受信アンテナは、両端部で前記地板にねじ止めされるとともに、これらねじ止め部分の間において、前記地板に係止されていることを特徴とする。
【０００７】
この発明によれば、受信アンテナは、受信アンテナの両端部とこの両端部間による係止とによって、少なくとも三箇所で地板に係止されるため、安定して固定される。したがって、比較的重量のある受信アンテナの振動等によるばたつきが少なくなる。また、地板に直接固定されているので、地板以外の部品で受信アンテナを押さえる必要がなくなり、受信アンテナがスペース効率よく収められる。
この発明では、受信アンテナの受信感度を向上させるために、受信アンテナのコアは、非導電性材料（合成樹脂やセラミック等を使用）からなる地板の外周または外縁に沿って、配置されていることが望ましい。地板の外形形状は、たる型、円形、楕円形、長方形等どのような形状であってもよい。
ねじ止めの方法は、合成樹脂からなる地板にセルフタッピングねじを切って、受信アンテナをじかに締結固定してもよいし（この場合金属製のピンがないので、格段に受信感度が向上される）、非導電性材料からなる地板に圧入した金属製のピンにねじを螺合させて、受信アンテナを固定してもよい。電波時計用の受信アンテナが感知する波長帯域は、主に長波が用いられるから、電波時計用の受信アンテナは磁界型アンテナといえるものであり、ここで用いる金属製のピンの材料は、受信感度の低下を抑えるために、非磁性体材料（たとえば、黄銅、銅等の反磁性体がよい）を用いることが好ましい。同様に、受信アンテナの両端を固定するねじも、非磁性体材料（たとえば、黄銅、銅等の反磁性体や非磁性ＳＵＳ等がよい）を用いることが好ましい。なお、受信アンテナの両端の固着方法は、ねじ止め以外に、熱かしめ、接着、溶着等を用いてもよい。
【０００８】
本発明では、前記受信アンテナは、アンテナコアと、当該アンテナコアが収容される合成樹脂製のコイル枠とを備え、前記受信アンテナと前記地板との係止は、前記コイル枠に設けられた係止爪と、前記地板に設けられて、当該係止爪が係止される係止部とで行なわれる構成が好ましい。
この発明では、受信アンテナは、コイル枠の両端部による固定と、係止爪と係止部とが係合することによって確実に係止されているので、より安定して地板に固定される。
【０００９】
本発明では、前記地板は、平面形状略円形に形成され、前記コイル枠は、導線の巻かれているコイル部と、前記コイル部の両側から連続して形成された湾曲部とで弓型に形成され、前記係止爪は、前記コイル部の両端に形成されている構成が好ましい。
この発明では、コイル枠の形状を平面形状略円形の地板の外周に沿って弓型に形成するので、受信アンテナがスペース効率よく収められる。また、コイル枠が弓型の形状であっても、受信アンテナは、コイル枠の両端と、コイル部の両端に設けられた係止爪とによって、位置の離れた四箇所で地板に係止されるため安定して固定される。
【００１０】
本発明では、前記アンテナコアには、前記湾曲部に収容された前記アンテナコア部分が前記地板側に折曲する段差部が形成されていることを特徴とする。
この発明では、湾曲部に収容されるアンテナコア部分が段差部によって地板側に位置するので、コイル枠の湾曲部も地板側に近づけることができ、湾曲部の地板とは反対側にスペースの余裕が生じる。このスペースに、コイルの導線と接続される必要な電子素子を備えた回路基板等を配置することが可能となる。したがって、スペースを有効に利用することができ、スペース効率がよくなる。
【発明の効果】
【００１１】
本発明によれば、受信アンテナがスペース効率よく収められ、かつ安定して固定されている電波修正時計を得ることができるという効果がある。
【発明を実施するための最良の形態】
【００１２】
以下、本発明の一実施形態を図面に基づいて説明する。
図１には、本発明の一実施形態にかかる時計１の平面図が示されている。
図１において、時計１は、時刻情報が重畳された外部信号としての標準電波を受信して表示時刻を修正する電波修正時計である。時計１は受信アンテナ５０を備え、受信アンテナ５０は地板１０に支持固定されている。ここで、地板１０は、平面形状略円形に形成されており、この地板１０上に時計１の各構成部品が配置されている。
【００１３】
時計１は、受信アンテナ５０以外の主な構成部品として、指針（図示せず）を駆動する指針用駆動手段２０と、日車（図示せず）を駆動する暦用駆動手段３１と、電源としての電池４０を収納する電池収納部４１と、外部から使用者が操作可能な外部操作手段５とを備える。
なお、図１は、時計１の時刻表示側とは反対側（裏蓋側）から見た図であり、この図において、上方向が時計１の３時方向、下方向が９時方向、右方向が１２時方向、左方向が６時方向となっている。
【００１４】
指針用駆動手段２０は、秒針を駆動するための秒針用駆動手段２１と、時針および分針を駆動するための時分針用駆動手段２６とを備える。また、秒針と秒針用駆動手段２１との間には、秒針用駆動手段２１からの駆動力を秒針に伝達する秒針用輪列２２が設けられ、時針および分針と時分針用駆動手段２６との間には、時分針用駆動手段２６からの駆動力を時針および分針に伝達する時分針用輪列２７が設けられている。
【００１５】
秒針用駆動手段２１は、ステッピングモータで構成され、時計１の略９時方向で受信アンテナ５０よりも地板１０の中央側に配置される。
秒針用輪列２２は、秒針用駆動手段２１のロータに噛合する秒中間車２２１と、秒中間車２２１に噛合する四番車２２２とを備えている。四番車２２２には、秒針が固定されている。秒針用駆動手段２１のステッピングモータにモータパルスを流すと、電磁誘導によりロータが回転する。この回転運動は、秒中間車２２１、および四番車２２２の順に適切な減速比（増速比）で減速されながら伝達され、秒針が１パルス１秒の所定速度で回動する。
【００１６】
秒中間車２２１には、秒針の正時位置を検出するための秒検出車２２３が噛合されている。秒中間車２２１および秒検出車２２３には、互いに重なりあう領域に、それぞれ検出孔２２１Ａ，２２３Ａが形成されており、秒中間車２２１および秒検出車２２３の位相は、秒針が１２時の位置に配置されたときにこれらの検出孔２２１Ａ，２２３Ａの位置が一致するように設定されている。ここで、秒検出車２２３は、四番車２２２と同じ径寸法に形成されているため、検出孔２２１Ａ，２２３Ａは１分間に一度、位置が一致するようになっている。
検出孔２２１Ａ，２２３Ａが一致する位置には、図示しないフォトセンサが設けられている。フォトセンサは、発光素子と受光素子とを備え、これらの発光素子および受光素子は、秒中間車２２１および秒検出車２２３の厚み方向両側に設けられ、これらを挟んで互いに対向して配置されている。秒中間車２２１と秒検出車２２３が回動して検出孔２２１Ａ，２２３Ａが一致すると、フォトセンサの発光素子からの光が検出孔２２１Ａ，２２３Ａを貫通して受光素子で受光されるため、秒針が１２時の位置であることが検出される。
なお、このような秒針の位置を検出する秒針位置検出手段は、透過型フォトセンサを用いるものに限らず、例えば反射型フォトセンサを用いたものであってもよく、また、検出孔２２１Ａ，２２３Ａが一致することを検出するものに限らず、例えば秒検出車２２３や秒中間車２２１の周上に磁気パターンを形成し、この磁気パターンを読み取ることによって秒針の位置を検出してもよい。
【００１７】
時分針用駆動手段２６は、秒針用駆動手段２１と同様にステッピングモータで構成され、時計１の略３時方向に配置されている。
時分針用輪列２７は、時分針用駆動手段２６のロータに噛合する五番車２７１と、五番車２７１に噛合する三番車２７２と、三番車に噛合する二番車２７３と、二番車２７３に噛合する日の裏車２７４と、日の裏車２７４に噛合する筒車２７５とを備える。二番車２７３および筒車２７５は、四番車２２２と同軸上に配置され、二番車２７３には分針が、筒車２７５には時針が固定されている。時分針用駆動手段２６にモータパルスを流すと、電磁誘導によりロータが回転する。この回転運動は、五番車２７１、三番車２７２、二番車２７３の順に適切な減速比（増速比）で減速されながら伝達され、分針が１時間で一周する速度で回動する。また、二番車２７３の回転運動は、日の裏車２７４、筒車２７５の順に適切な減速比（増速比）で減速されながら伝達されて、時針が１２時間で１周する速度で回動する。
【００１８】
五番車２７１、三番車２７２、二番車２７３、四番車２２２、および筒車２７５には、互いに重なり合う領域にそれぞれ検出孔２７１Ａ，２７２Ａ，２７３Ａ，２２２Ａ，２７５Ａが形成されている。時針、分針、および秒針が１２時の位置に配置された時に、これらの検出孔２７１Ａ，２７２Ａ，２７３Ａ，２２２Ａ，２７５Ａの位置が一致するように設定されている。
検出孔２７１Ａ，２７２Ａ，２７３Ａ，２２２Ａ，２７５Ａが一致する位置には、秒針用駆動手段２１に設けられたのと同様の透過型のフォトセンサが設けられており、検出孔２７１Ａ，２７２Ａ，２７３Ａ，２２２Ａ，２７５Ａの位置が一致するとフォトセンサが受光を検知し、これにより時針、分針、および秒針が全て１２時位置にある、正時の状態であることが検出される。なお、このような指針が正時にあることを検出するための指針位置検出手段は、秒針位置検出手段と同様に、任意の検出方式を採用できる。
【００１９】
ここで、秒針用駆動手段２１と時分針用駆動手段２６とは、互いに略対向する位置に配置されている。つまり、秒針用駆動手段２１と時分針用駆動手段２６とは、地板１０の略中心（つまり二番車２７３、四番車２２２、および筒車２７５の回転中心であり、指針２の回動中心）を挟んで互いにほぼ反対側に配置されている。
【００２０】
暦用駆動手段３１は、秒針用駆動手段２１および時分針用駆動手段２６と同様に、ステッピングモータで構成され、時計１の略５時方向に配設されている。
日車と暦用駆動手段３１との間には、暦用駆動手段３１からの駆動力を日車に伝達する暦用輪列３３が設けられている。暦用輪列３３は、ロータに噛合する日回し第一中間車３３１と、日回し第一中間車３３１に噛合する日回し第二中間車３３２と、日回し第二中間車３３２に噛合する日回し車３３３とを備える。日回し車３３３は、地板１０を貫通して文字板側に歯車を有し、この歯車が日車の内歯車に噛合される。なお、日車の平面方向の位置は、歯車と内歯車との噛合によって行われ、従来日車の位置決めに用いられるようなジャンパは設けられていない。
【００２１】
ステッピングモータにモータパルスを流すと、電磁誘導によりロータが回転する。この回転は、日回し第一中間車３３１、日回し第二中間車３３２、日回し車３３３の順に伝達され、日回し車３３３の回転によって日車が回転し、表示される日付が変更される。
【００２２】
電池収納部４１には、電池４０が収納されている。電池４０は、二次電池である。時計１は、時刻表示側に配置されたソーラパネル（図示せず）の発電によって駆動用エネルギーを得ている。発電された電力は、この電池４０に蓄積されている。電池収納部４１は、時計１の略１時方向に配設され、地板１０の外周側に配置されている。
ここで、電池収納部４１は、指針用駆動手段２０よりも地板１０の外周側（外側）に配置されている。
【００２３】
外部操作手段５は、時計１の略３時方向に配設された巻真５Ａと、時計の略２時方向および略４時方向にそれぞれ配設された図示しないボタンとを備える。巻真５Ａは、引き出し量によって複数のモードに切換可能なスイッチング機能を有し、例えば巻真５Ａを一段引き出すと日車の手動修正モードとなり、ボタンを押すことによって日車を回動させることが可能となる。また、例えば巻真５Ａを二段引き出すと、時刻修正モードとなり、ボタンを押すことによって指針を回動させることが可能となる。
また、ボタンは、押すことによって情報を表示可能となっており、例えば巻真５Ａを引き出さない状態でボタンを押すと、前回の標準電波の受信結果（受信の成否）が表示されるようになっている。この受信結果の表示は、例えば受信成功の場合には秒針が１０秒のところを示し、受信失敗の場合には、秒針が２０秒のところを示すように設定される。この受信結果の表示は、所定時間（例えば５秒）行われ、所定時間経過後には秒針は元の位置に戻り、現在時刻を表示する。なお、ボタンの操作によって標準電波を強制的に受信させる場合には、ボタンの操作とともに、秒針の位置によって標準電波を受信可能な環境か否かを表示させてもよい。
【００２４】
図２には、受信アンテナ５０を時刻表示側（地板１０側）から見た斜視図が示されている。図３は、受信アンテナ５０を示す縦断面図である。
受信アンテナ５０は、地板１０の外縁に略沿ったコイル枠５１と、コイル枠５１に収められたアンテナコア５２と、コイル枠５１に巻かれた導線５３と、コイル枠５１上に配置されている回路基板５４とを備えている。図２では、導線５３を省略している。
このような受信アンテナ５０は、図１に示すように、時計１の略９時方向に地板１０の外縁に沿って配置され、全体として時計１の略６時から１２時の領域にわたって配置される。
【００２５】
コイル枠５１は、導線５３の巻かれた直線状のコイル部５５と、コイル部５５の両端に形成されたフランジ部５８と、それぞれのフランジ部５８から連続して形成された湾曲部５６とを備えている。
コイル枠５１の両端部（それぞれの湾曲部５６の端）には、ねじでコイル枠５１を地板１０に固定するための固定孔５７が設けられている。
なお、コイル枠５１は、液晶ポリマなどの合成樹脂等の絶縁性材料で構成されている。
【００２６】
ここで、フランジ部５８によって、導線５３は湾曲部５６に向かって巻き解けないようになっている。また、フランジ部５８には、受信アンテナ５０を地板１０と係合させるための係止爪５９が設けられている。
【００２７】
コイル部５５に巻かれている導線５３の線径、巻き数などは、導線５３の材質や受信アンテナ５０の受信感度などを勘案して設定されている。なお、導線５３の表面には予め接着剤が被覆されており、ヒータにより熱風をあてながら導線５３を巻くことにより、導線５３はお互いに接着されている。
【００２８】
コイル枠５１には、地板１０と対向する面に開口し、かつコイル部５５と両側の湾曲部５６にまたがるように連続した凹部６０が形成されている。ここで、回路基板５４は片側の湾曲部５６に配置されており、この湾曲部５６の上面（図３での上面）は、回路基板５４が配置される関係でコイル部５５の上面よりも一段低く形成されており、これによって内側の凹部６０も一段低くなっている。
【００２９】
凹部６０には、凹部６０と略同形状のアンテナコア５２が収められている。アンテナコア５２は、Ｃｏ系を主成分とするアモルファス金属の薄板を複数枚積層して構成されている。例えば、約１０μｍのアモルファス金属薄板が３０〜４０枚程度積層される。アモルファス金属薄板は接着剤によりお互いに接着され、凹部６０との隙間に充填された接着剤６２により凹部６０に固定されている。この際、アンテナコア５２の一端側（回路基板５４の配置された湾曲部５６側）は、凹部６０の前述した段差に対応するように段差部５２Ａで折曲している。
【００３０】
回路基板５４は、絶縁材料で構成されるフレキシブル基板で構成され、この回路基板５４上には、はんだ６３によりコイルの導線５３が接続され、受信アンテナ５０の同調周波数調整用の電気素子としてのコンデンサ６５が複数個実装されている。ここで、前述したアンテナコア５２の段差部５２Ａは、湾曲部５６と裏蓋との間にスペースを空けるために設けられており、このとこによって、電気素子の実装された回路基板５４が効率よく収められ、ムーブメントの薄型化が図られている。
【００３１】
回路基板５４の一端は、湾曲部５６に設けられた固定孔５７まで延びており、回路基板５４には、固定孔５７に対応した位置に孔６４が設けられている。ここで、地板１０に配置される図示しない回路ブロックの一部にも孔と導通部とが設けられており、この孔と孔６４とが重ね合わされてねじ止めされることにより、フレキシブルな回路基板５４は図３の二点鎖線で示されたように曲がり、それぞれの導通部が接触して、回路基板５４と回路ブロックとの導通がとられている。
【００３２】
回路ブロックは、基準クロックを発振する計時用の水晶振動子や、ＣＰＵ、標準電波の信号のみを通過させるバンドパスフィルタ用水晶振動子、受信アンテナ５０で受信した標準電波を処理する受信用ＩＣ（受信用回路）等とを備えて構成されている。ＣＰＵは、計時用の水晶振動子からの周波数を分周して基準クロックを生成する分周回路や、基準クロックをカウントして時刻を計時する計時回路や、計時回路からの信号に基づいて指針用駆動手段２０や暦用駆動手段３１を制御する制御回路などを備えて構成されている。また、受信用ＩＣは、受信アンテナ５０で受信した標準電波を復調する復調回路や、受信信号を増幅する増幅回路などを備えて構成されている。
【００３３】
図４には、受信アンテナ５０を地板１０に支持固定する前の状態の斜視図が示されている。図４では、回路基板５４は省略されている。
受信アンテナ５０は、地板１０の外縁に沿って配置される。以下に、受信アンテナ５０を地板１０へ固定するための構造を説明する。
地板１０の受信アンテナ５０のコイル部５５とフランジ部５８とが収められる部分には、コイル部５５とフランジ部５８との形状に合わせた略長方形の開口部６６が形成されている。この開口部６６は、三角板状の底部６７を二隅に残して大部分が貫通している。そして、地板１０は、開口部６６の外側にブロック６９を備えている。このブロック６９には、図１にも示すように、壁６８下部両端に直方体状の孔からなる係止部７０が形成されている。
【００３４】
受信アンテナ５０の支持固定は、以下のように行われている。
受信アンテナ５０のフランジ部５８に設けられた係止爪５９を、地板１０に設けられた係止部７０に差込み、これと同時に、コイル枠５１の両端部の固定孔５７を地板１０に設けられた円筒状のピン７１に嵌めこむ。その後、ピン７１の内部にねじをしめ込んで受信アンテナ５０全体を地板１０に固定する。
【００３５】
上述の主な構成部品および必要な部品が取り付けられ、受信アンテナ５０の固定された地板１０は、ムーブメントとして図示しない外装ケースに組み込まれ、時計１が得られる。
【００３６】
このような時計１では、次のように動作する。
計時用の水晶振動子に電圧が印加された際に出力される発振信号がＣＰＵの分周回路で分周されて基準信号が生成され、この基準信号を元にＣＰＵ内の計時回路で時刻が計時されるとともに、秒針用駆動手段２１および時分針用駆動手段２６が駆動される。秒針用駆動手段２１および時分針用駆動手段２６の回転運動は、秒針用輪列２２および時分針用輪列２７を介してそれぞれ秒針、分針、および時針に伝達され、これらの指針が回動することにより時計１の図示しない文字板上で時刻が表示される。
受信アンテナ５０によって時刻情報を載せた標準電波を受信すると、受信用ＩＣが標準電波から時刻情報を取り出してＣＰＵに出力する。ＣＰＵは、この時刻情報に基づいて計時回路で計時される時刻を修正し、秒針用駆動手段２１および時分針用駆動手段２６を駆動して指針の表示時刻を修正する。
【００３７】
ＣＰＵ内の計時回路で２４時が計時されると、ＣＰＵは、暦用駆動手段３１を駆動して、日車３０を１日分駆動する。
指針２の基準位置の設定は、指針位置検出機能により自動的に行われる。
【００３８】
このような本実施形態によれば、以下の効果がある。
（１）受信アンテナ５０は、地板１０に設けられた係止部７０二箇所と受信アンテナ５０の両端との位置の離れた四箇所によって係止され、地板１０に安定して固定することができるので、比較的重量のある受信アンテナ５０の振動等によるばたつきを少なくできる。また、受信アンテナ５０は地板１０に直接固定されているので、地板１０以外の部品で受信アンテナ５０を押さえる必要がなくなり、受信アンテナ５０をスペース効率よく収めることができる。
【００３９】
（２）受信アンテナ５０は、コイル枠５１の両端部による固定と、係止爪５９と係止部７０とが係合させることによって確実に係止することができ、より安定して地板１０に固定できる。
【００４０】
（３）コイル枠５１の形状を平面形状略円形の地板１０の外縁に沿って弓型に形成するので、受信アンテナ５０をスペース効率よく収めることができる。また、コイル枠５１が弓型の形状であっても、コイル枠５１の両端をねじ止めし、またコイル部５５の両端に設けられた係止爪５９を係止部７０によって係止することにより、離れた四点で受信アンテナ５０を地板に安定して固定できる。
【００４１】
（４）湾曲部５６に収容されるアンテナコア５２部分が段差部５２Ａによって地板１０側に位置するので、コイル枠５１の湾曲部５６も地板１０側に近づけることができ、湾曲部５６の地板１０とは反対側にスペースの余裕が生じる。このスペースに、コイルの導線５３と接続される必要な電子素子を備えた回路基板５４等を配置することができる。したがって、スペースを有効に利用することができ、スペース効率が良好である。また、コンデンサ６５の上端が余分にはみ出さないので、裏蓋側に配置される他の部品と電子素子との接触による短絡を少なくできる。
【００４２】
（５）アンテナコア５２を直接固定することなく、合成樹脂製のコイル枠５１を固定している。したがって、アンテナコア５２に直接余分な力が加わらないので破損や歪が生じにくく、受信感度を安定させることができる。
【００４３】
なお、本発明は前述の実施形態に限定されるものではなく、本発明の目的を達成できる範囲での変形、改良等は本発明に含まれるものである。
前記実施形態では、コイル枠５１両端のねじ止めと、二箇所の係止爪５９とで受信アンテナ５０を地板１０に支持固定していたが、本発明では、受信アンテナ５０の両端がねじ止めされていて、他の少なくとも一箇所を地板１０に係止させることで支持固定できればよい。
例えば、ブロック６９の壁６８の上方に爪状の係止部を少なくとも一つ以上設けて、この係止部をコイルの上面やフランジ部５８の上面に係止させてもよい。
【００４４】
また、本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４５】
【図１】本発明の一実施形態にかかる時計１を示す平面図。
【図２】受信アンテナの斜視図。
【図３】受信アンテナの縦断面図。
【図４】受信アンテナを地板に支持固定する前の状態の斜視図。
【符号の説明】
【００４６】
１…時計（電波修正時計）、１０…地板、５０…受信アンテナ、５１…コイル枠、５２…アンテナコア、５２Ａ…段差部、５３…導線、５５…コイル部、５６…湾曲部、５８…フランジ部、５９…係止爪、７０…係止部。
【図１】
2006153648.tif 000003
【図２】
2006153648.tif 000004
【図３】
2006153648.tif 000005
【図４】
2006153648.tif 000006